(57)【要約】【課題】様々なスペースに対応すべく伸縮自在の収納庫等において、その収納庫等の正面に戸を設けると共に収納庫を伸ばした際にその収納庫の幅の伸びに応じて戸の幅も伸縮自在になり、さらに、設置時に伸縮動作を円滑に行うことができ、軽量であって、長期にわたって、一定の強度を保持できる収納庫内を提供することである。【解決手段】左右方向に幅を拡大または縮小可能な収納庫であって、該収納庫の右天井部及び左天井部と、右背面部および左背面部と、右底面部及び左底面部それぞれに左右方向同時に拡大縮小可能な摺動部を有するとともに、その拡大縮小時の摺動量に応じて左右方向に摺動する右戸部と左戸部を有するように構成した収納庫である。【選択図】          図３
2010051406.tif 000002
【特許請求の範囲】
【請求項１】
左右方向に幅を拡大または縮小可能な収納庫であって、該収納庫の右天井部及び左天井部と、右背面部および左背面部と、右底面部及び左底面部それぞれに左右方向同時に拡大縮小可能な摺動機構を有するとともに、その拡大縮小時の摺動量に応じて左右方向に摺動する右戸部と左戸部を有することを特徴とする収納庫。
【請求項２】
右底面部及び左底面部は、それぞれに左右方向同時に拡大縮小可能な摺動機構を有するとともに、右天井部および左天井部には縮小方向の動きを制限するストッパーを設け、右底面部および左底面部には拡大方向の動きを制限するストッパ−を設けることを特徴とする請求項１記載の収納庫。
【請求項３】
収納庫内に仕切り板部と柱部とを有し、右戸部および左戸部は該柱部と個別に施錠することを特徴とする請求項１あるいは請求項２記載の収納庫。
【発明の詳細な説明】
【技術分野】
【０００１】
本発明は、左右方向に幅を拡大または縮小可能な収納庫に関するものである。
【背景技術】
【０００２】
市街地には、収納庫を置けるような十分な広さの空きスペースが少なく収納庫を置くことが困難であった。しかしながら、建物と建物の間のわずかなスペースは市街地であっても無数に存在する。
【０００３】
従来は、そのようなわずかなスペースに収納庫を置きたいと考えていても、収納庫の大きさはある一定のものしかなく、大きめの収納庫を置くためには空きスペースが狭すぎる場合がある。一方で、小さめの収納庫を置く場合においては、その空きスペースに収納庫を収めることができるものの、隙間が生じてしまうことがあり、建物と建物の間の空きスペースを有効活用することはできなかった。
【０００４】
したがって、その空きスペースを有効利用するためには、空きスペースの幅に合わせて収納庫を製作しなければならない。しかし、それでは、該収納庫は量産することのできないいわゆる特注品となってしまうため製作コストが嵩むことになってしまう。また、上記デッドスペースは、建物と建物の間にあることから、建物の所有者間における敷地の境界線がある場合が多く、その空きスペースにおける一方の所有者の敷地のみにその収納庫を置く場合には狭すぎてしまうためにその収納庫を設置することができない。そのため収納庫を設置するためには、敷地と敷地の境界線をまたいで設置することになる。その場合収納庫を共同で所有し設置する場合であっても各収納物はそれぞれの敷地の所有者が個別に管理することを希望する場合が多い。
【０００５】
【特許文献１】実開平０３−５４５０２号公報  上記の問題を解決する手段として、特許文献１には伸縮型移動ルームなる考案が開示されている。この考案は、複数のユニットを組み合わせてルームを形成し、各ユニットは床面上にて直線もしくは回転移動が許容されていて互いに他のユニット内に嵌入できる大きさに形成され、ユニットの下端には走行具が取着され、また各ユニットの側面パネルには窓が、さらに少なくとも一か所に出入り口用のドアを設けたことを特徴とする伸縮型移動ルームである。しかしながら該伸縮型移動ルームは左右別体であり建物の間の狭いスペースに設置しにくく、また建物と建物の間に隙間なく設置して使用するためには、入り口を設けなければならない。しかしながら、上記考案では、建物と接する部分に戸を設けているため、該伸縮型移動ルームの正面に戸を設ける必要があるが、その伸縮する構造上そのまま適用することはできない。また、設置時における作業者の負担軽減のためできるだけ軽量化しなければならないが、円滑に伸縮し長期にわたって収納物を保管するためには一定の強度を保持しなければならない。しかし、上記考案において強度を高めるには壁を厚くするしかなく、その場合壁を厚くした分だけ重量がかさみ、軽量化をはかることができなくなり移動時もしくは設置時に作業者の負担の軽減を図ることができなくなる。また収納庫等を各土地の所有者で共有した場合に収納物を個別に収納し管理することはできない。
【発明の開示】
【発明が解決しようとする課題】
【０００６】
本発明は前記の点に着目してなされたもので、その課題は、様々なスペースに対応すべく拡大縮小可能な収納庫等において、その収納庫等の正面に戸を設けると共に収納庫を拡大縮小した際にその収納庫の拡大縮小に応じて戸の幅も拡大縮小できることである。また、本発明の他の課題は、設置時に拡大縮小動作を円滑に行うことができ、軽量であって、長期にわたって使用するものであるために一定の強度を保持できるものである。また必要以上に拡大又は縮小しないことを課題とする。また、本発明の他の課題は、収納庫内を個別に仕切ることができるとともに個別に収納物を管理できることである。
【課題を解決するための手段】
【０００７】
前記の課題を解決するため、本発明は、左右方向に幅を拡大または縮小可能な収納庫であって、該収納庫の右天井部及び左天井部と、右背面部および左背面部と、右底面部及び左底面部それぞれに左右方向同時に拡大縮小可能な摺動部を有するとともに、その拡大縮小時の摺動量に応じて左右方向に摺動する右戸部と左戸部を有するように構成したものである。
【０００８】
前記の課題を解決するため、本発明は、左右方向に幅を拡大または縮小可能な収納庫であって、該収納庫の右天井部及び左天井部と、右背面部および左背面部と、右底面部及び左底面部それぞれに左右方向同時に拡大縮小可能な摺動部を有するとともに、右天井部および左天井部にはその拡大縮小時の摺動量に応じて左右方向に摺動する右戸部と左戸部を有するように構成したものである。
【０００９】
前記の課題を解決するため、本発明は、左右方向に幅を拡大または縮小可能な収納庫であって、該収納庫の右天井部及び左天井部と、右背面部および左背面部と、右底面部及び左底面部それぞれに左右方向同時に拡大縮小可能な摺動部を有するとともに、その拡大縮小時の摺動量に応じて左右方向に摺動する右戸部と左戸部を有し、仕切り板部と柱部とを有し、右戸部および左戸部は該柱部と個別に施錠するように構成したものである。
【００１０】
本発明は以上のように構成されるので、戸を収納庫正面に設けることができ、様々な幅の空きスペースに収納庫等を設置することができ、空きスペースを有効に活用することができる。また、様々な幅に合わせて、個別に収納庫を製作する必要がなく同じ収納庫を量産することができるのでコストを削減できる。また、摺動部を設けているので、収納庫の設置においてもスムーズに拡大縮小動作をすることができ、また長期の使用に耐えられるように一定の強度を有するものである。さらに、縮小方向の動きを制限するストッパーを設けるとともに、拡大方向の動きを制限するストッパ−を設けているので、不必要に縮小されるおそれもなく、かつ、幅方向に拡大しすぎて収納庫の右部分と左部分が分離してしまうことがない。また、収納庫を共同で所有し設置する場合であっても各収納物はそれぞれの敷地の所有者が個別に施錠することができるので、収納物を個別に管理することができるものである。
【００１１】
図１は、収納庫の幅方向縮小時の本体斜視図。図２は、収納庫の幅方向拡大時の本体斜視図。図３は、収納庫本体斜視図。図４は、収納庫の幅方向縮小時の図１のＡ−Ａ断面図。図５は、収納庫の幅方向拡大時の図２のＢ−Ｂ断面図。図６は、縮小時の底面図。図７は、拡大時の底面図。図８は、右側面図。図９は、右戸部の裏面図。図１０は、図９のＣ−Ｃ断面図。図１１は、他の実施例の収納庫の斜視図。図１２は、設置例図。図１３は、土地の境界線が収納庫の中心にある場合と左よりの場合の設置図。
【００１２】
１０は収納庫本体で、２０は右天井部、２１は右天井後端部、２２は右天井前端部、２３は右天井右端部である。右天井後端部２１は右天井本体部２０ａの後端から垂直に底面に向かって折り曲げられ、さらに前端部に向かって直角に折り曲げられ断面コの字形状部２１ｂを形成している。右天井前端部２２は右天井本体部２０ａの前端から垂直に底面に向かって折り曲げられ、さらに後端部に向かって直角に折り曲げられた断面コの字形状部２２ｃを形成している。右天井右端部２３も同様に右天井本体部２０ａの右端から底面に向かって垂直に折り曲げられ、さらに左側に向かうように直角に折り曲げられた断面コの字形状を形成している。上記のように天井部の前端部２２、後端部２１および右端部２３の３か所において曲げ加工をし、右天井後端部２１と右天井右端部２３、および右天井右端部２３と右天井前端部２２の接する部分をそれぞれ溶接、接着などで固着することにより、右天井本体部２０ａの三方で曲げ加工することになり、右天井部２０の剛性が確保できることとなる。
【００１３】
３０は左天井部であり、左天井部３０は、右天井部２０に比べて奥行き方向すなわち前後方向の寸法は、重なりあうように右天井部２０の内側に入り込むので若干短く、幅方向すなわち左右方向はほぼ同様の寸法を有する。従ってこの右天井部と左天井部との横幅の和から、重なった部分の幅を引いた寸法が幅拡大時の寸法となる。ここで３１は左天井後端部、３２は左天井前端部、３３は左天井左端部である。３１の左天井後端部は左天井本体部３０ａの後端から垂直に底面に向かって折り曲げられ、さらに前端部に向かって直角に折り曲げた断面コの字形状部３１ｂを形成している。左天井前端部３２は左天井本体部３０ａの前端から垂直に底面に向かって折り曲げられ、さらに後端部に向かって直角に折り曲げられた断面コの字形状部３２ｃを形成している。左天井左端部３３も同様に左天井本体部３０ａ左端から底面に向かって垂直に折り曲げられ、さらに右側に向かうように直角に折り曲げた断面コの字形状を形成している。上記のように天井部の前端部３２、後端部３１及び左端部３３の３か所において曲げ加工をし、左天井後端部３１と左天井左端部３３、および左天井左端部３３と左天井前端部３２の接する部分をそれぞれ溶接、接着などで固着することにより、左天井本体部３０ａの三方で曲げ加工することになり、左天井部３０の剛性が確保できることとなる。
【００１４】
前記断面コの字形状部２１ｂの内側の形状に倣って断面コの字形状部３１ｂが嵌合する。すなわち収納庫が幅方向に縮小する場合において、断面コの字形状部３１ｂは、断面コの字形状部２１ｂの内側に重なり合うように入り込み摺動する。したがって、断面コの字形状部３１ｂを断面コの字形状部２１ｂの内側で摺動させるためには、断面コの字形状部２１ｂの断面コの字形状の内側の寸法に合わせて適宜断面コの字形状部３１ｂのコの字形状部分の寸法は決められることになる。なお、上記断面コの字形状部３１ｂが断面コの字形状部２１ｂに重なり合うように内側に入り込み摺動する部分を第１摺動部とする。
【００１５】
前記断面コの字形状部２２ｃの内側の形状に倣って断面コの字形状部３２ｃが嵌合する。すなわち収納庫が幅方向に縮小する場合において、断面コの字形状部３２ｃは、断面コの字形状部２２ｃの内側に重なり合うように入り込み摺動する。したがって、断面コの字形状部３２ｃを断面コの字形状部２２ｃの内部で摺動させるためには、断面コの字形状部２２ｃの断面コの字形状の内側の寸法に合わせて適宜断面コの字形状部３２ｃのコの字形状部分の寸法は決められることになる。なお、上記断面コの字形状部３２ｃが断面コの字形状部２２ｃに重なり合うように内側に入り込み摺動する部分を第２摺動部とする。
【００１６】
３４は突き出しストッパーであり、突き出しストッパー端部３４ａが右側面部８０に当接することにより横幅を狭める幅収縮方向への動作を規制する。当該突き出しストッパー３４は幅方向に長く奥行き方向に短い帯状を呈し、奥行き方向の短片の略中間点を軸に折り曲げられた構造である。すなわち、該突き出しストッパー３４は上面部３４ｂと側面部３４ｃを有し側面部３４ｃは上面部３４ｂからほぼ垂直に底面に向かって下ろされた断面Ｌ字形状を呈する。３４ｂは左天井部の裏面部３５に左天井後端部３１の左右方向である幅方向あるいは左天井前端部３２の左右方向である幅方向とほぼ平行に取り付けられるが、その取りつけ位置は前端部寄りあるいは後端部寄りが望ましい。収納物の妨げにならないためである。上面部３４ｂを左天井本体部３０ａの裏面部３５に取り付けるが、その取り付け方法は溶接または接着など、この突き出しストッパー３４を天井部に固定できればその方法は問わない。
【００１７】
４０は右背面部であり、４１は右背面上端部、４２は右背面下端部、４３は右背面右端部である。右背面上端部４１は右背面本体部４０ａ上端から直角に正面、すなわち後述する右戸部１００の方向に向かって折り曲げる。この部分は右天井部２０とほぼ平行である。さらにそこから後述する右底面部６０に向かって垂直に垂れ下がる様に折り曲げられ、断面コの字形状部４１ｂを形成している。右背面下端部４２は右背面本体部４０ａ下端から直角に正面に向かって折り曲げられ、さらに右天井部２０に向かって垂直に屹立する様に折り曲げた断面コの字形状部４２ｃを形成している。右背面右端部４３は右背面本体部４０ａ右端から正面、すなわち後述する右戸部１００の方向に向かって直角に折り曲げた断面Ｌ字形状を呈している。上記のように右背面部４０の右背面上端部４１、右背面下端部４２及び右背面右端部４３の３か所において曲げ加工をし、右背面上端部４１と右背面右端部４３、および右背面右端部４３と右背面下端部４２の接する部分をそれぞれ溶接、接着などで固着することになり、右背面本体部４０ａの三方で曲げ加工することになり、右背面部４０の剛性が確保できることとなる。また右背面部４０は、右天井部２０の内側に入り込むように固定される。固定手段は溶接あるいはなど公知の手段で行われる。
【００１８】
５０は左背面部であり、左背面部５０は、右背面部４０に比べて高さ方向の寸法は重なりあうように右背面部４０の内側に入り込むので若干短く、幅方向はほぼ同様の寸法を有する。従ってこの右背面部４０と左背面部５０との横幅の和から、重なり部分の幅を引いた寸法が幅拡大時の寸法となる。５０は左背面部であり、５１は左背面上端部、５２は左背面下端部、５３は左背面左端部である。左背面上端部５１は左背面本体部５０ａ上端から直角に正面、すなわち後述する左戸部２００の方向に向かって折り曲げる。この部分は左天井部３０とほぼ平行である。さらにそこから後述する左底面部７０に向かって垂直に垂れ下がる様に折り曲げられ、断面コの字形状部５１ｂを形成している。左背面下端部５２は左背面本体部５０ａ下端から直角に正面、すなわち後述する左戸部２００の方向に向かって折り曲げられ、さらに左天井部３０に向かって垂直に屹立する様に折り曲げた断面コの字形状部５２ｃを形成している。左背面左端部５３は左背面本体部５０ａ左端から正面すなわち後述する左戸部２００の方向に向かって直角に折り曲げられる断面Ｌ字形状を呈している。上記のように左背面部５０の左背面上端部５１、左背面下端部５２及び左背面左端部５３の３か所において曲げ加工をし、左背面上端部５１と左背面左端部５３、および左背面左端部５３と左背面下端部５２の接する部分をそれぞれ溶接、接着などで固着することにより、左背面本体部５０ａの三方で曲げ加工することになり、左背面部５０の剛性が確保できることとなる。また左背面部５０は、左天井部３０の内側に入り込むように固定される。固定手段は溶接あるいは接着など公知の手段で行われる。
【００１９】
前記断面コの字形状部４１ｂの内側の形状に倣って断面コの字形状部５１ｂが嵌合する。すなわち収納庫が幅方向に縮小する場合において、断面コの字形状部５１ｂは、断面コの字形状部４１ｂの内側に重なり合うように入り込み摺動する。したがって、断面コの字形状部５１ｂを断面コの字形状部４１ｂの内部で摺動させるためには、断面コの字形状部４１ｂの断面コの字形状の内側の寸法に合わせて適宜断面コの字形状部５１ｂのコの字形状部分の寸法は決められることになる。なお、上記断面コの字形状部５１ｂが断面コの字形状部４１ｂに重なり合うように内側に入り込み摺動する部分を第３摺動部とする。
【００２０】
前記断面コの字形状部４２ｃの内側の形状に倣って断面コの字形状部５２ｃが嵌合する。すなわち収納庫が幅方向に縮小する場合において、断面コの字形状部５２ｃは、断面コの字形状部４２ｃの内側に重なり合うように入り込み摺動する。したがって、断面コの字形状部５２ｃを断面コの字形状部４２ｃの内部で摺動させるためには、断面コの字形状部４２ｃの断面コの字形状の内側の寸法に合わせて適宜断面コの字形状部５２ｃのコの字形状部分の寸法は決められることになる。なお、上記断面コの字形状部５２ｃが断面コの字形状部４２ｃに重なり合うように内側に入り込み摺動する部分を第４摺動部とする。
【００２１】
６０は右底面部、６１は右底面後端部、６２は右底面前端部、６３は右底面右端部である。右底面後端部６１は右底面本体部６０ａ後端から垂直に下方に向かって折り曲げられ、さらに前端部に向かって直角に折り曲げられた断面コの字形状部６１ｂを形成している。右底面前端部６２は右底面本体部６０ａ前端から垂直に下方に向かって折り曲げられさらに後端部に向かって直角に折り曲げられる断面コの字形状部６２ｃを形成している。右底面右端部６３は右底面本体６０ａ右端から下方に向かって垂直に折り曲げた断面Ｌ字形状を呈している。上記のように右底面部の右底面前端部６２、右底面後端部６１及び右底面右端部６３の３か所において曲げ加工をし、右底面後端部６１と右底面右端部６３、および右底面右端部６３と右底面前端部６２の接する部分をそれぞれ溶接、接着などで固着することにより、右底面本体部６０ａの三方で曲げ加工することになり、右底面部６０の剛性が確保できることとなる。
【００２２】
７０は左底面部であり、左底面部７０は、右底面部６０に比べて奥行き方向すなわち前後方向の寸法は、重なりあうように右底面部６０の内側に入り込むので若干短く、幅方向すなわち幅方向はほぼ同様の寸法を有する。従ってこの右底面部６０と左底面部７０との横幅の和から、重なり部分の幅を引いた寸法が幅拡大時の寸法となる。ここで７１は左底面後端部、７２は左底面前端部、７３は左底面左端部である。左底面後端部７１は左底面本体部７０ａ後端から垂直に下方に向かって折り曲げられ、さらに前端部に向かって直角に折り曲げた断面コの字形状部７１ｂを形成している。左底面前端部７２は左底面本体部７０ａ前端から垂直に下方に向かって折り曲げられ、さらに後端部に向かって直角に折り曲げた断面コの字形状部７２ｃを形成している。左底面左端部７３も同様に左底面本体部７０ａ左端から下方に向かって垂直に折り曲げられる断面Ｌ字形状を呈している。上記のように左底面部７０の左底面前端部７２、左底面後端部７１及び左底面左端部７３の３か所において曲げ加工をし、左底面後端部７１と左底面左端部７３、および左底面左端部７３と左底面前端部７２の接する部分をそれぞれ溶接、接着などで固着することにより、左底面本体部７０ａの三方で曲げ加工することになり、左底面部７０の剛性が確保できることとなる。
【００２３】
前記断面コの字形状部６１ｂの形に倣って断面コの字形状部７１ｂが嵌合する。すなわち収納庫が幅方向に縮小する場合において、断面コの字形状部７１ｂは断面コの字形状部６１ｂの内側に重なり合うように入り込み摺動する。したがって、断面コの字形状部７１ｂを断面コの字形状部６１ｂの内部で摺動させるためには、断面コの字形状部６１ｂの断面コの字形状の内側の寸法に合わせて適宜断面コの字形状部７１ｂのコの字形状部分の寸法は決められることになる。なお、上記断面コの字形状部７１ｂが断面コの字形状部６１ｂに重なり合うように内側に入り込み摺動する部分を第５摺動部とする。
【００２４】
前記断面コの字形状部６２ｃの形に倣って断面コの字形状部７２ｃが嵌合する。すなわち収納庫が幅方向に縮小する場合において、断面コの字形状部７２ｃは断面コの字形状部６２ｃの内側に重なり合うように入り込み摺動する。したがって、断面コの字形状部７２ｃを断面コの字形状部６２ｃの内部で摺動させるためには、断面コの字形状部６２ｃの断面コの字形状の内側の寸法に合わせて適宜断面コの字形状部７２ｃのコの字形状部分の寸法は決められることになる。なお、上記断面コの字形状部７２ｃが断面コの字形状部６２ｃに重なり合うように内側に入り込み摺動する部分を第６摺動部とする。
【００２５】
８０は右側面部であり８０ａは右側面本体部である。上部右側面部８４は右側面本体部８０ａの上端部を左方向に向かうように直角に折り曲げる。右側面背部８２も同様に左側に向かう様に直角に折り曲げる。右側面正面部８３も同様に左側に向かう様に直角に折り曲げる。下部右側面部８５は右側面本体部８０ａの下端部を左方向に向かうように直角に折り曲げられる。右側面背部８２及び右側面正面部８３はそれぞれ下部に切り欠き８６,８７を有する。この切り欠きは、右底面部６０がはまり込むような寸法となり右底面部６０と溶接あるいは接着などで接合される。また右側面部８０は右天井部２０の内側に入り込むように固定される。固定手段は溶接あるいは接着など公知の手段で行われる。
【００２６】
９０は左側面部であり９０ａは左側面本体部である。この部分は上記右側面部８０と対称である。上部左側面部９４は左側面本体部９０ａの上端部を右方向に向かうように直角に折り曲げる。左側面背部９２も同様に右側に向かう様に直角に折り曲げる。左側面正面部９３も同様に右側に向かう様に直角に折り曲げる。下部左側面板９５は右側面本体部９０ａの下端部を右方向に向かうように直角に折り曲げる。左側面背部９２及び左側面正面部９３は上記右側面背部８２及び右側面正面部８３同様それぞれ下部に切り欠きを有する（図示せず）。この切り欠きは、左底面部７０がはまり込むような寸法となり左底面部７０と溶接あるいは接着などで接合される。また左側面部９０は左天井部３０の内側に入り込むように固定される。固定手段は溶接あるいは接着など公知の手段で行われる。
【００２７】
図９は右戸部１００を裏から見た図である。すなわち図３における矢印Ｄの方向から見た図である。右側戸部１００は第１戸部１１０と第２戸部１２０で構成され、第１戸部１１０は、第１戸部本体部１１１と第１戸部上端部１１２と第１戸部側部１１３と第１戸部下端部１１４で構成される。第１戸部上端部１１２は、第１戸部本体部１１１上端から図の正面手前側に向かって直角に折り曲げられ、さらに下方に向かって垂直に垂れ下がる様に折り曲げる。すなわち、第１戸部上端部１１２は、断面コの字形状を有する。第１戸部下端部１１４は、第１戸部本体部１１１の下端から図の正面手前側に向かって直角に折り曲げ、さらに天井面に向かって垂直に屹立する様に上方に折り曲げる。すなわち、第１戸部下端部１１４は、断面コの字形状を形成する。第１戸部側部１１３は、図９における第１戸部本体部１１１の右端から図の正面手前側に向かって、直角に折り曲げる。すなわち、第１戸部側部１１３は、断面Ｌ字形状を呈する。従って、第１戸部１１０は、第１戸部本体部１１１の３方を囲むように、第１戸部上端部１１２と第１戸部側部１１３と第１戸部下端部１１４で構成され、断面コの字形状や断面Ｌ字形状で構成されるので、それぞれの接する部分は溶接接着等で固着されているため、平面状のものに対して、より曲がりに強く剛性を有することになる。
【００２８】
第２戸部１２０は、第２戸部本体部１２１と第２戸部上端部１２２と第２戸部側部１２３と第２戸部下端部１２４で構成される。第２戸部上端部１２２は、第２戸部本体部１２１上端から図の正面手前側に向かって直角に折り曲げられ、さらに下方に向かって垂直に垂れ下がる様に折り曲げる。すなわち、第２戸部上端部１２２は、断面コの字形状を形成する。第２戸部下端部１２４は、第１戸部本体部１２１下端から図の正面手前側に向かって直角に折り曲げられ、さらに天井面に向かって垂直に屹立する様に上方に折り曲げる。すなわち、第２戸部下端部１２４は、断面コの字形状を呈する。第２戸部側部１２３は、第２戸部本体部１２１から図の正面手前側に向かって、直角に折り曲げられ、さらに図面右側に向かって折り曲げられる。すなわち、第２戸部側部１２３は、断面コの字形状を呈する。従って、第２戸部１２０は、第２戸部本体部１２１の３方を囲むように、第２戸部上端部１２２と第２戸部側部１２３と第２戸部下端部１２４で構成され、それぞれ断面コの字形状で構成されるので、それぞれの接する部分は溶接接着等で固着されているため、平面状のものに対して、より曲がりに強く剛性を有することになる。
【００２９】
上記のように、第１戸部上部１１２、第１戸部下部１１４、第２戸部上部１２２、第２戸部下部１２４はそれぞれ断面コの字形状を呈するので、右戸部を幅方向に収縮する場合は、第２戸部上部１２２が第１戸部上部１１２の内側に入り込むと同時に、第２戸部下部１２４が第１戸部下部１１４の内側に入り込むことで第１戸部本体部１１１の内側に第２戸部本体部１２１が重なるように入り込むことになる。そのため、第２戸部全体が第１戸部に嵌合することになり、第１戸部全体が第２戸部の外側を摺動する。したがって、第２戸部１２０の外側で第１戸部１１０を摺動させるためには、第１戸部１１０の内側寸法に合わせて適宜第２戸部１２０の各部の寸法は決められることになる。
【００３０】
ストッパー１３０は第１ストッパー１３１と第２ストッパー１３２から成り、第１ストッパーの端部１３３は第１戸部側部１１３に固定される。その際、第１戸部本体部１１１に第１ストッパーは接することなく浮いた状態となり第１戸部側部１１３に固定されるため右戸部１００の左右方向の幅を収縮する時は、その浮いた隙間に第２戸部本体部１２１が入り込むことになる。
【００３１】
右側戸部を幅方向に広げた場合は、第１ストッパー当接部１３４が第２ストッパー１３２と当接するのでこれ以上第１戸部の幅は広げられることがない。また第２戸部１２０は蝶番1４０，１４０を介し右側面部８０に遥動可能に固定される。固定方法は溶接接着など右戸部１００を固定できれば、この方法は問わない。なお左側戸部２００は第３戸部２１０と第４と部２２０で構成されるが右戸部１００と左右対称なので説明は省略する。
【００３２】
底面ストッパー２５０は第１底面ストッパー部２５１と第２底面ストッパー部２５２で構成される。第１底面ストッパー部２５１は、奥行き長手方向に沿って（図６、図７においては、図示、上下方向に沿って）、短冊状の帯状板の左右短手方向のほぼ中間点を軸として垂直に屹立するように（図６、図７においては、図面手前側に向かって）折り曲げることで、第１底面ストッパー部の当接部２５１ｂと固定部２５１ａは、ほぼ断面Ｌ字状に折り曲げた形状を呈する。しかしながらより厳密に説明すると、固定部２５１ａにおいて第１底面ストッパー部２５１は右底面部６０に接することなく右底面後端部６１と右底面前端部６２の間に渡される。右底面後端部６１と右底面前端部６２に接する部分のみを取り出すとすると、この部分は平板状であり、２５１ａの一部をなすものである。また固定部２５１ａのうち、右底面後端部６１と右底面前端部６２に接する部分以外の固定部２５１ａの部分と第１底面ストッパー部の当接部２５１ｂが断面Ｌ字状を呈する。
【００３３】
第２底面ストッパー２５２は、奥行き長手方向に沿った方向（図６、図７においては、図示、上下方向に沿って）であって左右短手方向のほぼ中間点軸として垂直に下方に向かって（図６、図７においては、図面手前側方向）折り曲げられるものであり帯状板を断面Ｌ字状に折り曲げた形状を呈する。第２底面ストッパー当接部２５２ａは、左側面部９０とほぼ平行になる様に第２ストッパー固定部２５２ｂを左側底面本体部７０ａの裏側（天井側ではなく底側）に固定される。
【００３４】
本体１０の幅を拡大したときには、第１底面ストッパー部の当接部２５１ｂと第２底面ストッパー当接部２５２ａが当接しこれ以上の幅の拡大を制限する。
【００３５】
以上のように収納庫は幅方向を拡大縮小することができる。建物と建物の間の隙間に応じて該収納庫の幅を調節しボルト等公知手段にて固定する。また適宜シーリングすることで水漏れ対策することができる。なお撤去するときはこのボルト等を外せば自由に移動に出来ることになる。
【００３６】
図１は、収縮時の収納庫の状態図である。収納庫が幅方向に収縮すると第１摺動部、第２摺動部、第３摺動部、第４摺動部、第５摺動部、第６摺動部、が同時に幅方向に摺動し天井部、背面部、底面部の各左面部が各右面部の内側に入り込むことで縮小する。また図２は拡大時の収納庫の状態図であるが拡大時は反対に、第１摺動部、第２摺動部、第３摺動部、第４摺動部、第５摺動部、第６摺動部、が同時に幅方向に摺動し天井部、背面部、底面部の各左面部が右面部の内側から脱出することで拡大する。従って建物と建物の間の幅に合わせて収納庫の幅を調整することができる（図１２参照）。なお、幅方向に拡大縮小時には前記のとおり、第１摺動部、第２摺動部、第３摺動部、第４摺動部、第５摺動部、第６摺動部の各摺動部がそれぞれコの字形状を有しているので、これらのコの字形状の内側面で摺動部分を支えるので、たわむことが少なくなり、剛性感があり円滑に幅方向の拡大縮小動作が行える。
【００３７】
また、図１２、図１３は収納庫の幅に合わせて戸部も、幅方向に拡大縮小することができる。またそのときの収納庫の拡大縮小時の動作と、戸部分の動作は、連動して動くものではない。したがって、右戸部１００と左戸部２００の合わせ目を土地の境界線に合わせて中央（図１２、図１３のＡ部分）にしたり、右寄りあるいは左寄り（図１２、図１３のＢ部分）にすることができる。ただし、収納庫の開口部の幅が左戸部と右戸部の幅の和となるようにしなければならない。従ってこの範囲で右戸部と左戸部の合わせ目の位置を任意に設定できる。ただし収納庫の幅が最大または最小となった時はこの限りでない。
【００３８】
他の実施例であるが、上記の収納庫の設置時において任意の位置に側面部と平行に仕切り板３００を公知手段で固定する。仕切り板３００は本体部３０１、上折り曲げ部３０２及び下折り曲げ部３０３からなり上折り曲げ部３０２は本体部３０１から直角に折り曲げられている。また下折り曲げ部３０３も本体部３０１に対して直角に折り曲げられている。従って、仕切り板３００は断面コの字形状となる。仕切り板３００を本件収納庫に固定するためには、例えば上折り曲げ部３０２を右天井部あるいは左天井部にボルト、ねじ、接着、溶接等の公知手段で固定し、下折り曲げ部３０３を右底面部あるいは左底面部にボルト、ねじ、接着、溶接等の公知手段によりその仕切板３００を設けることができる。
【００３９】
また、さらに仕切り板３００に柱部４００を設置することができる。柱部４００は略四角柱形状であり上部においては上部平面板４０１を有する。上部平面板４０１は天井面に略平行であり、四角形の板状を呈している。下部平面板４０２は底面部に略平行であり四角形の板状を呈している。上部平面版４０１は天井面にボルトねじ等で固定する。また下部平面板４０２も底面部にボルトねじ等で固定する。また柱部４００には右戸部および左戸部それぞれ独立して施錠できるように鍵部を設置する。施錠方法は公知の方法を用いることできる。なお仕切り板は断面コの字形状に限られず収納庫内を仕切れることができればこの形状に限られることはない。
【００４０】
また他の実施例であるが、収納庫１３は、収納庫上部１５と中枠部１４を有する収納庫下部１６とで構成される。中枠部１４は収納庫下部１６と一体で構成されていて、その中枠１４の全周の長さが収納庫上部１５の内側全周の長さより若干短いため収納庫上部１５と当該中枠部１４を嵌合させた場合に、中枠部１４の表面と前記収納庫上部１５の裏側が接することにより摺動可能となり、それによって、幅方向に拡大縮小可能であるのみならず、上下方向にも伸縮が可能である。なお、収納庫上部１５は収納庫本体１０の上半分と同一の構造のため説明は省略する。
【００４１】
収納庫下部１６は、右背面部４５、左背面部（図示せず）、右側面部８５、左側面部９５、右戸部１５０、左戸部１６０より構成される。前記収納庫１０と同様に幅方向に摺動可能とするために、右背面部４５の内側に左背面部（図示せず）が入り込むことができる。なお、右背面部４５および左背面部（図示せず）の下部にあるコの字形状部については前記収納庫本体１０の右背面部４０および左背面部５０の下部の形状と同様コの字形状である。また、収納庫下部１６の右戸部１５０は、第１右戸部１５１および第２戸部１５２で構成されている。それぞれが断面コの字形状を有し、前記収納庫本体１０における戸部１００の下部と同様に第１右戸部１５１および第２戸部１５２の下部も断面コの字形状を有している。従って、前記収納庫本体１０と同様に第１左戸部１５１の内側に第２左戸部１５２が入り込むことで幅方向に収縮可能である。なお、戸部についても前記と同様に拡大縮小可能とすることができれば、断面の形状について、コの字形状に限られることはない。そのほかの形状については、前記収納庫本体１０の戸部１００と同様である。なお、左戸部１６０についても右戸部１５０と対称であるので、説明を省略する。
【００４２】
また、中枠部１４は、中枠右背面部４６、中枠左背面部（図示せず）、中枠右側面部８６、中枠左側面部９６、中枠右戸部１５３、中枠左戸部１６３より構成される。前記収納倉庫１０と同様に幅方向に摺動可能とするために、中枠右背面部４６の内側に中枠左背面部（図示せず）が入り込むことができる。また、中枠右戸部１５３は、第１中枠右戸部１５４および第２中枠右戸部１５５で構成されている。従って、前記収納庫本体１０と同様に第１中枠右戸部１５４の内側に第２中枠左戸部１５５が入り込むことで幅方向に収縮可能である。なお、左戸部１６３についても右戸部１５３と対称であるので説明を省略する。
【００４３】
収納庫上部１５は、前記のように構成された中枠部１４と一体である収納庫下部１６に対して上下に伸縮可能である。従って収納物の高さに応じて収納庫１３の高さを任意の高さに伸縮することができる。その場合、収納庫の中に収納する物の高さに応じて、収納庫上部１５を、固定手段１７を用いて中枠部１４と固定する。
【００４４】
前記のように収納庫上部１５を、固定手段１７を用いて中枠部１４と固定することにより、収納庫下部１６の右背面部４５及び右戸部１５０、または、左背面部（図示せず）及び正面部である左戸部１６０において幅方向に収縮可能であるため、収納庫下部１６が幅方向に収縮または拡大する動きに応じて、収納庫上部１５における右天井部２５及び左天井部３５または、収納庫上部右背面部４７および収納庫上部左背面部（図示せず）が追従し幅方向に収縮拡大可能となる。また、右戸部１５０についても前記の様に外側へ開閉可能であるため収納庫上部右戸部１５６と中枠右戸部１５３が固定手段１７により固定することで、収納庫上部右戸部１５６と中枠右戸部１５３が一体となり収納庫上部右戸部１５５と中枠右戸部１５３とが同時に外側へ開放可能となり収納倉庫下部１６も中枠部１４と一体となっているため収納庫上部右戸部１５６と同時に外側へ開放可能となる。なお、左側戸部についても同様である。
【発明の効果】
【００４５】
以上の説明から明らかなように、収納庫正面において入り口である戸を設けることで収納物を出し入れすることができ、収納庫の幅方向に拡大縮小するための摺動する個所が、６か所設けられているため拡大縮小動作を円滑に行うことができるので設置作業の作業者の負担が減る。また薄板で構成しても一定の剛性を確保することができるので軽量であってかつ耐久性が増すものである。また任意の幅で収納庫を設置することができるためいわゆるデッドスペ−スを余すことなく活用できる。また、縮小方向の動きを制限するストッパーを設けるとともに、拡大方向の動きを制限するストッパ−を設けているので、不必要に縮小されるおそれもなく、かつ、幅方向に拡大しすぎて収納庫の右部分と左部分が分離してしまうことがない。さらに、柱部と仕切り板と接するように取り付けることで、例えば該収納庫を空きスペースに設置したのちに敷地の境界線上に仕切り板を取り付け、上記柱を取り付けることで各土地の所有者の持ち分に応じて収納庫の幅を確保することができ、それとともに右戸部及び左戸部が仕切り板で仕切られるそれぞれの収納庫内の幅に応じて摺動することにより、仕切り板を必ずしも収納庫の中心に設置しなくても各戸部と仕切り板を施錠することができるので各自が個別に収納物を管理することができる。また収納庫のみならず倉庫あるいは物置としても活用できるものである。尚、左右方向のみならず、上下方向にも伸縮可能であるため、収納物の高さに応じて伸縮可能となる収納庫である。
【図面の簡単な説明】
【００４６】
【図１】収納庫の幅方向縮小時の本体斜視図
【図２】収納庫の幅方向拡大時の本体斜視図
【図３】収納庫本体斜視図
【図４】収納庫の幅方向縮小時の図１のＡ−Ａ断面図
【図５】収納庫の幅方向拡大時の図２のＢ−Ｂ断面図
【図６】縮小時の底面図
【図７】拡大時の底面図
【図８】右側面図
【図９】右戸部の裏面図
【図１０】図９のＣ−Ｃ断面図他の実施例の収納庫の斜視図
【図１１】他の実施例の収納庫の斜視図
【図１２】設置例図
【図１３】土地の境界線が収納庫の中心にある場合と左よりの場合の設置図。
【符号の説明】
【００４７】
１０    収納庫本体
１３    他の実施例の収納庫
２０    右天井部
３０    左天井部
４０    右背面部
５０    左背面部
６０    右底面部
７０    左底面部
８０    右側面部  
９０    左側面部  
１００  右戸部
２００  左戸部
【図１】
2010051406.tif 000003
【図２】
2010051406.tif 000004
【図３】
2010051406.tif 000005
【図４】
2010051406.tif 000006
【図５】
2010051406.tif 000007
【図６】
2010051406.tif 000008
【図７】
2010051406.tif 000009
【図８】
2010051406.tif 000010
【図９】
2010051406.tif 000011
【図１０】
2010051406.tif 000012
【図１１】
2010051406.tif 000013
【図１２】
2010051406.tif 000014
【図１３】
2010051406.tif 000015